(57)【要約】  空気浄化装置が、吸気口に通じるとともに排気口に通じる内部空間を有した洗浄塔と、空気を前記吸気口から前記洗浄塔の内部空間に取り込んで前記排気口から前記洗浄塔の外に送り出すよう送風する送風機と、前記洗浄塔の内部空間に配置され、前記洗浄塔の内部空間内で水を散布するノズルと、を有し、前記ノズルから散布された水が前記洗浄塔内で前記送風機により送風された空気と接触する。
2008053871.tif 000002
【特許請求の範囲】
【請求項１】
吸気口に通じるとともに排気口に通じる内部空間を有した洗浄塔と、
空気を前記吸気口から前記洗浄塔の内部空間に取り込んで前記排気口から前記洗浄塔の外に送り出すよう送風する送風機と、
前記洗浄塔の内部空間に配置され、前記洗浄塔の内部空間内で水を散布するノズルと、を備え、
前記ノズルから散布された水が前記洗浄塔内で前記送風機により送風された空気と接触する、空気浄化装置。
【請求項２】
前記ノズルが水を霧状に散布する、請求項１に記載の空気浄化装置。
【請求項３】
前記ノズルが粒子径１０μｍ以上１０００μｍ以下の水を噴霧する、請求項２に記載の空気浄化装置。
【請求項４】
前記洗浄塔の内部空間において前記ノズルの散布先に設けられ、前記ノズルから散布された水を捕捉するとともに捕捉した水を前記送風機で送風される空気に接触させる気液接触構造を更に備える請求項１から３の何れか一項に記載の空気浄化装置。
【請求項５】
前記気液接触構造が、前記ノズルの散布先において複数の充填物を充填してなる、請求項４に記載の空気浄化装置。
【請求項６】
前記気液接触構造が、前記ノズルの散布先において多孔板を重ねてなる、請求項４に記載の空気浄化装置。
【請求項７】
前記気液接触構造が、複数の板を棚段状に配列してなる、請求項４に記載の空気浄化装置。
【請求項８】
前記吸気口と前記洗浄塔との間に設けられたフィルタを更に備える請求項１に記載の空気浄化装置。
【請求項９】
前記送風機と前記排気口との間に設けられたフィルタを更に備える請求項１に記載の空気浄化装置。
【請求項１０】
前記ノズルに水を送液し、前記ノズルから水を散布させるポンプを更に備える請求項１に記載の空気浄化装置。
【請求項１１】
前記ポンプは、前記ノズルから散布されて前記洗浄塔の内部空間の下部に貯留された水を前記ノズルに送液することを特徴とする請求項１０に記載の空気浄化装置。
【請求項１２】
前記洗浄塔の内部空間に配置され、前記ノズルから散布されて前記洗浄塔の内部空間の底に貯留された水を殺菌する殺菌装置を更に備える請求項１１に記載の空気浄化装置。
【請求項１３】
前記殺菌装置が電解殺菌装置である、請求項１２に記載の空気浄化装置。
【請求項１４】
前記殺菌装置が紫外線照射装置である、請求項１２に記載の空気浄化装置。
【請求項１５】
前記洗浄塔の内部空間の下部に貯留された水を残留塩素で殺菌する、請求項１１に記載の空気浄化装置。
【請求項１６】
前記洗浄塔の内部空間の下部に貯留された水の有効塩素濃度を０．１ｍｇ／Ｌ以上１０ｍｇ／Ｌ以下とすることでその水を殺菌する、請求項１１に記載の空気浄化装置。
【請求項１７】
前記洗浄塔の内部空間の下部に貯留された水の有効塩素濃度を１ｍｇ／Ｌ以上３ｍｇ／Ｌ以下とすることでその水を殺菌する、請求項１１に記載の空気浄化装置。
【請求項１８】
前記洗浄塔の内部空間において前記ノズルよりも前記排気口側に配置され、前記ノズルから散布された水を捕捉するエリミネータを更に備える請求項１に記載の空気浄化装置。
【請求項１９】
前記洗浄塔の内部空間の底よりも上において前記洗浄塔に接続され、その接続箇所の水位まで貯留した水を排水する排水管を更に備える請求項１に記載の空気浄化装置。
【請求項２０】
前記ノズルが水道水、純水、酸性水若しくはアルカリ水又はこれらのうち二種以上を混合させたものを散布する、請求項１に記載の空気浄化装置。
【請求項２１】
前記ノズルが逆浸透装置又はイオン交換装置によって精製された純水を散布する、請求項１に記載の空気浄化装置。
【請求項２２】
前記ノズルが、逆浸透装置によって精製された濃縮水若しくは市水を電解装置に供することで得られる当該電解装置の陽極水、又は、電気軟化装置若しくは電気再生式脱イオン装置の陽極水を散布する、請求項１に記載の空気浄化装置。
【請求項２３】
前記ノズルが、逆浸透装置によって精製された濃縮水若しくは市水を電解装置に供することで得られる当該電解装置の陰極水、電気軟化装置の陰極水、電気再生式脱イオン装置の陰極水、又は、軟水を電解装置に供することで得られる当該電解装置の陰極水を散布する、請求項１に記載の空気浄化装置。
【発明の詳細な説明】
【技術分野】
【０００１】
本発明は、空気浄化装置に関し、特に、住宅等に送り込む空気を浄化する技術に関する。
【背景技術】
【０００２】
従来、住宅には換気装置が設置され、その換気装置によってその住宅内に外気を取り込んでその住宅内を換気する。しかし、外気には、NOx、SOx、NH4等のガスや塵埃が含まれており、そのようなものも換気装置によって住宅内に取り込まれてしまう。塵埃を除去するために、フィルタを備えた換気装置が住宅に設置され、そのフィルタによって塵埃が集塵されて、浄化した空気が住宅内に取り込まれる（例えば、日本国公開特許公報第２００３−２１３７５号参照）。【０００３】
また、フィルタを用いずに、水を用いて空気を浄化する装置として、ため水式の空気浄化装置がある。ため水式の空気浄化装置は、水槽内底部に一定の水をためて、空気をその水中に吹き込んで空気を水に接触させるものである。【０００４】
しかし、フィルタ付換気装置によって外気を取り込み続けると、塵埃によってフィルタが目詰まりする。そのため、フィルタの清掃又は交換を必要とし、そのメンテナンスに手間とコストが掛かってしまう。また、フィルタでは、外気中のNOx、SOx、NH4等のガスや悪臭の元となるガスを十分に除去することはできず、NOx、SOx、NH4等のガスを住宅内に取り込んでしまう。
また、ため水式の空気浄化装置では、水中に気体を吹き込む過程において抵抗が高く、水中に空気を吹き込むために高出力の送風機が必要となる。【０００５】
そこで、本発明の主な目的は、フィルタの清掃・交換を殆ど必要とせず、NOx、SOx、NH4等のガスや悪臭の元となるガスを除去して住宅内に取り込むことができ、更に低出力の送風機でも空気を浄化することができる空気浄化装置を提供することである。
【発明の開示】
【０００６】
本発明の一態様によれば、吸気口に通じるとともに排気口に通じる内部空間を有した洗浄塔と、空気を前記吸気口から前記洗浄塔の内部空間に取り込んで前記排気口から前記洗浄塔の外に送り出すよう送風する送風機と、前記洗浄塔の内部空間に配置され、前記洗浄塔の内部空間内で水を散布するノズルと、を備え、前記ノズルから散布された水が前記洗浄塔内で前記送風機により送風された空気と接触する、空気浄化装置が提供される。
【図面の簡単な説明】
【０００７】
【図１】本発明の第１実施形態における空気浄化装置を破断した状態で示した概略図である。
【図２】本発明の第２実施形態における空気浄化装置を破断した状態で示した概略図である。
【図３】本発明の第３実施形態における空気浄化装置を破断した状態で示した概略図である。
【図４】吸気口及び排気口の空気中に含まれるＮＯxの濃度の測定結果を示したグラフである。
【図５】本発明の第４実施形態における空気浄化装置を破断した状態で示した概略図である。
【図６】第４実施形態における空気浄化装置の気液接触構造に備わる籠を示した斜視図である。
【図７】本発明の第５実施形態における空気浄化装置を破断した状態で示した概略図である。
【図８】第５実施形態における空気浄化装置の気液接触構造に備わる籠を示した斜視図である。
【図９】本発明の第６実施形態における空気浄化装置を破断した状態で示した概略図である。
【図１０】本発明の第７実施形態における空気浄化装置を破断した状態で示した概略図である。
【図１１】第７実施形態における空気浄化装置の気液接触構造に備わる板の変形例を示した概略図である。
【図１２】第７実施形態における空気浄化装置の気液接触構造に備わる板の変形例を示した概略図である。
【図１３】本発明の第８実施形態における空気浄化装置を破断した状態で示した概略図である。
【図１４】吸気口及び排気口の空気中に含まれるＮＯxの濃度の測定結果を示したグラフである。
【発明を実施するための好ましい形態】
【０００８】
以下に、本発明を実施するための好ましい形態について図面を用いて説明する。
【０００９】
＜第１の実施の形態＞
図１は、空気浄化装置１の縦断面図である。この空気浄化装置１は住宅に設置されており、この空気浄化装置１によって住宅の外の空気が住宅内に取り込まれる。
【００１０】
図１に示すように、ケーシング３０によってその内側に空間が形成されている。ケーシング３０の側面の下部には、吸気口３１が形成されており、ケーシング３０の側面の上部には、排気口３７が形成されている。吸気口３１には、ルーバー５が設けられ、排気口３７にも、ルーバー６が設けられている。吸気口３１は、住宅の外に露出しているか、又はダクトを通じて住宅の外に通じている。排気口３７は、住宅の中に露出しているか、又は、ダクトを通じて住宅の中に通じている。
【００１１】
ケーシング３０の内側には、吸気ダクト３３、排気ダクト３５及び洗浄塔４０が設けられている。洗浄塔４０は上下方向に長尺に設けられており、その洗浄塔４０の内側に内部空間が形成されている。洗浄塔４０の内部空間の上下中間部が噴霧室４１とされており、洗浄塔４０の内部空間の下部がドレインパン４２とされ、洗浄塔４０の内部空間の上部が排気室４３とされている。噴霧室４１とドレインパン４２は通じ、排気室４３と噴霧室４１が通じている。
【００１２】
ドレインパン４２には、水が貯留される。また、ドレインパン４２には、殺菌装置１５が設けられており、ドレインパン４２に貯留された水が殺菌装置１５により殺菌される。
【００１３】
殺菌装置１５は、紫外線照射、電解殺菌、高温殺菌、殺菌剤充填層への通水、又は本実施形態の空気浄化装置１の構造体の少なくとも一部の表面への殺菌効果を付与する表面処理の何れか単独又はこれらの組み合わせによって構成される。
【００１４】
紫外線照射は、水銀ランプなどの殺菌能力を有する光線を発する光源をドレインパン４２に浸漬するか、又は水の循環流路のいずれかに設置し、該殺菌ランプ部に水を流通させる流通式によって行われる。該殺菌能力を有する光源としては、高圧又は低圧水銀ランプなどが好適に用いられ、照射紫外線としては、該ランプより照射される波長２５４ｎｍ付近、及び／又は１８２ｎｍ付近の紫外線が好適に殺菌効果を達成することができる。殺菌を好適に達成する紫外線照射量は、光源と被照射水との距離、及び照射時間によって大きく影響されるが、一般に光源において、０．０１Ｗ・ｓ／ｃｍ２以上、好ましくは、０．０２５〜０．０５Ｗ・ｓ／ｃｍ２が望ましい。
【００１５】
電解殺菌とは、少なくとも陽極、陰極一対の電極に直流電圧を印加するものであり、ドレインパン４２に浸漬するか、又は水の循環経路の何れかに設置し、該電解殺菌部に水を流通させる流通式によって行われる。電解による殺菌は、水に塩化物イオンが含まれる場合は、陽極で生成される有効塩素が主たる殺菌有効成分である。水の塩化物イオン濃度が低い場合は、水に食塩、塩酸、塩化カルシウムなどの塩化物イオンを含有する薬品、または海水、にがりなどの塩化物イオンを含有する天然物などを添加しても良い。殺菌効果を好適に達成する有効塩素濃度は、水のｐＨの影響を受け、一般に酸性において殺菌効果は高い。しかしながら、ｐＨ酸性で高濃度の有効塩素を含有する水は、臭気、並びに特に金属材料に対する腐食などを引き起こすため、この空気浄化装置１においては、有効塩素濃度０．１〜１００ｍｇ Ｃｌ／ｌ好ましくは０．２〜１０ｍｇ Ｃｌ／ｌであり、かつｐＨ２〜１２、より好ましくは、ｐＨ３〜１０とすることが望ましい。水に塩化物イオンが含まれないか、又は、塩化物イオン濃度が１ｍｇ／ｌ以下などの低濃度の場合には、電解殺菌は、陽極において水分解によって生成するオゾン、過酸化水素、ＯＨラジカルなどの活性酸素による殺菌、または陽極への菌体の接触による陽極酸化による殺菌によって達成される。この場合、少なくとも陽極の一部を多孔質体として表面積を大きくし、該多孔質体部に水を流通させることによって、水と陽極の接触効率を高めると、より好適に殺菌を達成することができる。電解殺菌で用いられる陰極としては、導電性炭素材料、鉄、ステンレス、その他金属類が好適に用いられる。陽極としては、白金、金などの貴金属類、チタン基板に白金、イリジウム、ルテニウム、ロジウム、タンタルなどを単独または複数成分混合して、メッキまたはこれらの焼結体酸化物被膜を形成させたものが好適である。水に硬度成分が多く存在し、かつ流通式の電解殺菌を行う場合などでは、定期的に陽極と陰極の極性を反転させることにより、陰極への硬度スケールの付着を防止することが出来る。この場合、電極材料としては、上記陽極材料が好ましい。また、陽極における有効塩素生成を効率よく行うには、陽極材料成分として、イリジウム、ルテニウムが含まれることが望ましく、オゾン生成を促進するには、陽極に二酸化鉛が含まれることが望ましい。電極の形状は、板、多孔質体、パンチングメタル、エキスパンドメタルなどより、通水型、浸漬型などの接液方式を勘案して適宜選択される。電極間に流される電解電流密度は、上記の殺菌機構の違いから、目的とする電極反応に応じて選択されるが、０．１〜２０Ａ／ｄｍ２が好適である。
【００１６】
高温殺菌とは、６０℃以上、好ましくは８０℃以上の高温に水又は空気を昇温するか、または同温度以上に昇温された金属メッシュなどの昇温体に該流体を接触せしめることにより該流体中の菌を死滅させる手段である。この空気浄化装置１においては、循環水流路の一部を昇温するか、または空気流通経路に昇温体を設置して殺菌を行う。後述のエリミネータ１１を電気ヒータなどで昇温し、殺菌用昇温体として兼用しても良い。
【００１７】
殺菌剤充填層への通水、又は空気浄化装置１の構造体の少なくとも一部の表面への殺菌効果を付与する表面処理による殺菌で用いられる殺菌剤とは、例えば、銀や銅などの殺菌効果を有する金属を活性炭やゼオライトなどの吸着剤に物理吸着させたもの、あるいは該金属を吸着させた活性炭やゼオライトなどの粉末を更にナイロンなどに練り込んで繊維状に加工したもの、沃素を陰イオン交換基を有する固体表面にイオン結合によって固定化したもの、第４級アンモニウム基を有する陰イオン交換体、ポリミキシンをアガロースに結合させたもの、アルコキシシリル基を導入した殺菌剤・抗菌剤と担体表面の水酸基などとを脱アルコール反応で結合させて共有結合によって殺菌剤・抗菌剤を固定化したもの、ベンジル基、メチレン基、エステルなどを介してポリマー鎖に殺菌剤・抗菌剤を共有結合によって固定化したもの、更にこれらを対象物表面に塗布又はコーティングして対象物表面を固定化殺菌・抗菌剤化したものなどを挙げることができる（高麗寛紀、化学と生物、２６（１２）、８３４−８４１（１９８８））。これらの殺菌剤を単独、又は複数組み合わせて、水循環経路に設置して殺菌剤充填部を形成し、該殺菌剤部に水又は空気を流通させるか、又はこの空気浄化装置１の構造体の少なくとも一部の表面を上記殺菌剤で表面処理し、該表面に水または空気を接触させて殺菌を行うことができる。
【００１８】
なお、ドレインパン４２に貯留された水を残留塩素で殺菌してもよい。また、ドレインパン４２に貯留された水の有効塩素を０．１ｍｇ／Ｌ以上１０ｍｇ／Ｌ以下、好ましくは１ｍｇ／Ｌ以上３ｍｇ／Ｌ以下とすることで、水を殺菌してもよい。
【００１９】
吸気ダクト３３の一端が吸気口３１に通じ、吸気ダクト３３の他端が洗浄塔４０の上下中間部に連結されて噴霧室４１に通じている。吸気ダクト３３の内側には、プレフィルタ７が設けられ、プレフィルタ７によって吸気口３１が閉塞されている。なお、プレフィルタ７が設置される箇所は、噴霧室４１と吸気ダクト３３の連結部から吸気口３１までの間であればどこでも良い。
【００２０】
洗浄塔４０の上端には送風機８が連結され、更にその送風機８は排気ダクト３５の一端に連結され、排気ダクト３５の他端が排気口３７に通じている。送風機８は洗浄塔４０内の空気を吸引して、排気ダクト３５へ送り出すものである。送風機８によって外部の空気が吸気口３１に取り込まれて、吸気ダクト３３、洗浄塔４０、送風機８、排気ダクト３５を通って排気口３７から住宅内へ排出される。
【００２１】
排気ダクト３５の内側には、フィルタ９が設けられ、フィルタ９によって排気口３７が閉塞されている。フィルタ９はプレフィルタ７よりも目が細かく、フィルタ９はプレフィルタ７よりも細かい塵埃を集塵することができる。具体的には、フィルタ９は、ＨＥＰＡフィルタ又はＵＬＰＡフィルタである。なお、フィルタ９が設置される箇所は、送風機８から排気口３７までの間であればどこでも良い。
【００２２】
洗浄塔４０の内側であって噴霧室４１の上側には、噴霧器としての複数のスプレーノズル１０が設けられている。これらスプレーノズル１０は水を霧状にして散布するものであり、これらスプレーノズル１０から下側に向かって水が噴霧される。具体的には、スプレーノズル１０は、平均粒子径１０μｍ以上１０００μｍ以下の水を噴霧する。更に好ましくは、スプレーノズル１０は、平均粒子径３００μｍ以上１０００μｍ以下の水を噴霧するとよい。なお、スプレーノズル１０の数は複数ではなく、１個であっても良い。
ここで、水滴の落下終末速度が、噴霧室４１内での空気の流速よりも大きく、NOx、SOx、NH4等の可溶性ガスの溶解効率は接触する粒子径に依存し、水滴の粒子径が小さいほうが、可溶性ガスの溶解効率が高くなる。そのため、スプレーノズル１０から噴霧される水の平均粒子径が１０μｍ以上１０００μｍ以下である。好ましくは、スプレーノズル１０から噴霧される水の平均粒子径を３００μｍ以上１０００μｍ以下とすると良い。
【００２３】
洗浄塔４０の内側であってスプレーノズル１０の上方には、エリミネータ１１が設けられ、エリミネータ１１によって噴霧室４１と排気室４３が仕切られている。エリミネータ１１を空気が通過すると、通過する空気中の水分がエリミネータ１１に付着して捕捉され、エリミネータ１１に付着した水が水滴としてドレインパン４２に滴下する。
【００２４】
ドレインパン４２には圧送ポンプ１２が連結されている。圧送ポンプ１２は配管１３によってスプレーノズル１０に接続している。圧送ポンプ１２はドレインパン４２に貯留された水を吸い上げ、スプレーノズル１０へと圧送するものである。圧送ポンプ１２によってスプレーノズル１０へ送られた水が圧送ポンプ１２による圧力によってスプレーノズル１０から噴霧される。
【００２５】
洗浄塔４０には供給管１６が接続されており、供給源１７の水が供給管１６を通って洗浄塔４０内に供給される。供給源１７から供給される水は、水道水、純水、酸性水若しくはアルカリ水又はこれらのうち二種以上を混合させたものである。そのため、スプレーノズル１０から噴霧される水も、水道水、純水、酸性水若しくはアルカリ水又はこれらのうち二種以上を混合させたものである。
【００２６】
供給源１７から供給される水が純水である場合、その水は逆浸透装置又はイオン交換装置によって精製された純水である。供給源１７から供給される水が酸性水である場合、その水は、逆浸透装置によって精製された濃縮水若しくは市水を電解装置に供することで得られる当該電解装置の陽極水であるか、又は、電気軟化装置若しくは電気再生式脱イオン装置の陽極水である。供給源１７から供給される水がアルカリ水である場合、その水は、逆浸透装置によって精製された濃縮水若しくは市水を電解装置に供することで得られる当該電解装置の陰極水であるか、電気軟化装置の陰極水（軟水）であるか、電気再生式脱イオン装置の陰極水であるか、又は、軟水を電解装置に供することで得られる当該電解装置の陰極水である。
【００２７】
ドレインパン４２の底よりも上の部分には、排水管１４が接続されている。ドレインパン４２に貯留された水の水位が排水管１４の接続箇所になると、ドレインパン４２内の水が排水管１４を通って排出される。
【００２８】
次に、この空気浄化装置１の動作について説明する。
まず、供給源１７の水が供給管１６を通ってドレインパン４２に貯留される。そして、圧送ポンプ１２が作動し、ドレインパン４２の水がスプレーノズル１０へ圧送され、スプレーノズル１０から水が噴霧される。このように圧送ポンプ１２が作動している間、水が循環する。水の循環中では殺菌装置１５が作動し、循環水が殺菌装置１５によって殺菌される。なお、水の循環中でも供給源１７の水が断続的に、連続的に又は所定サイクルでドレインパン４２に供給される。
【００２９】
水の循環中、送風機８が作動し、住宅の外の空気が吸気口３１に吸い込まれ、吸気ダクト３３、洗浄塔４０、送風機８及び排気ダクト３５を順に通って排気口３７から排出される。排気口３７から排出された空気は住宅の中に送られる。ここで、吸気口３１に吸い込まれた空気がプレフィルタ７を通過する時に、虫、大きな塵埃、屑等がプレフィルタ７に捕捉される。
【００３０】
噴霧室４１に取り込まれた空気が上昇している時に、スプレーノズル１０から噴霧された水滴が空気中の塵埃等に接触する。スプレーノズル１０から水が噴霧される向きは、噴霧室４１内において空気が上昇する向きと逆である。塵埃等を含んだ水はドレインパン４２に滴下したり、エリミネータ１１に捕捉されてドレインパン４２に滴下したりする。そのため、洗浄塔４０を通過する空気から塵埃等が除去される。
【００３１】
洗浄塔４０を通過した空気がフィルタ９を通過する時に、プレフィルタ７や洗浄塔４０で除去しきれなかった塵埃がフィルタ９に捕捉される。そして、フィルタ９を通過した空気が排気口３７から排出されて住宅の中に送られる。
【００３２】
以上のように本実施形態によれば、吸気口３１に吸い込まれた空気はフィルタ９の通過前に洗浄塔４０を通過し、空気中の塵埃等が洗浄塔４０内の霧によって殆ど除去される。また、塵埃のみならず水溶性のガスや固体も洗浄塔４０内の霧によって除去することができる。そのうえ、空気がフィルタ９を通過する際には、その空気には塵埃等が殆ど含まれていないから、フィルタ９の目詰まりを長期間にわたって防止することができる。従って、フィルタ９を長期間にわたって清掃せずとも、フィルタ９の交換サイクルを長くすることができる。
【００３３】
以上のようにこの空気浄化装置１を用いれば、住宅の中に送り込む空気の浄化・脱臭をすることができ、住宅内への給気もより衛生的にすることができる。特に、エリミネータ１１によって水が捕捉されることによって、住宅内に送り込まれる空気中に噴霧水が残留せず、より浄化された空気が住宅内に送り込まれる。
【００３４】
その上、ドレインパン４２の底に貯留された水が殺菌装置１５によって殺菌されるので、循環している水の汚染を抑えることができる。そのため、空気浄化装置１が長期に動作していても、住宅内に送り込まれる空気が浄化された状態を保つことができる。
【００３５】
更に、噴霧された水によって取り除かれた塵埃等の一部は、ドレインパン４２に貯留した水の水面に浮上し、浮上した塵埃等は水とともに排水管１４を通じて排出される。そのため、循環している水に塵埃等が貯まっていくことを抑えることができる。
【００３６】
なお、上記実施形態では、吸気口３１が住宅の外に露出しているか、又はダクトを通じて住宅の外に通じていたが、吸気口３１が住宅の中に露出しているか、又は、ダクトを通じて住宅の中に通じていても良い。このようにすれば、住宅の中の空気が吸気口３１に吸い込まれ、塵埃等を除去した空気が排気口３７から住宅の中に供給される。これにより、住宅の中の空気を浄化することができる。
【００３７】
また、吸気口３１とは別に吸気口をケーシング３０に設け、その別の吸気口と噴霧室４１をダクトで接続し、その別の吸気口を住宅の中に露出させるか又はダクトを通じて住宅の中に通じさせても良い。このようにすることで、吸気口３１から外気が取り込まれ、別の吸気口からは住宅内の空気が取り込まれ、取り込まれた空気が洗浄塔４０内において浄化し、その浄化した空気が排気口３７から住宅に送り込まれる。
【００３８】
また、洗浄塔４０の前段と後段にそれぞれプレフィルタ７、フィルタ９が設けられているが、プレフィルタ７とフィルタ９のどちらか一方であっても良い。更に、プレフィルタ７、フィルタ９の両方が設けられていなくても良い。
【００３９】
また、上記実施形態ではスプレーノズル１０が下向きに水を噴霧していたが、スプレーノズル１０が上向きに水を噴霧しても良い。また、上記実施形態では取り込まれた空気が噴霧室４１で上昇するよう流れているが、逆に下降するように流れても良い。上記実施形態では、スプレーノズル１０から噴霧される水の向きが、噴霧室４１内での空気の流れの向きの逆になっていたが、それら向きの関係は特に限定するものではなく、例えば、スプレーノズル１０から噴霧される水の向きが噴霧室４１内での空気の流れの向きと同じであっても良いし、スプレーノズル１０から噴霧される水の向きが噴霧室４１内での空気の流れの向きに対して垂直であっても良い。
【００４０】
また、上記実施形態では圧送ポンプ１２によって水をスプレーノズル１０に圧送していたが、水に加えて圧縮空気をコンプレッサーによってスプレーノズル１０に送っても良い。
【００４１】
＜第２の実施の形態＞
第１実施形態の空気浄化装置１においては、圧送ポンプ１２によってドレインパン４２の水を吸い上げてスプレーノズル１０に圧送していた。それに対して、第２実施形態においては、図２に示された空気浄化装置１Ａのように、圧送ポンプ１２Ａによって供給源１７の水を吸い上げてスプレーノズル１０に圧送しても良い。そのため、この空気浄化装置１Ａでは、水が循環せず、スプレーノズル１０から噴霧されてドレインパン４２に貯留された水は排水管１４を通って排出される。また、この空気浄化装置１Ａにおいては、水が循環しないので、前記洗浄塔４０内には、殺菌装置が設けられていない。
【００４２】
以上のことを除いて、この空気浄化装置１Ａは第１実施形態の空気浄化装置１と同様に設けられており、空気浄化装置１Ａと空気浄化装置１の間で互いに対応する部分が同様に設けられている場合には同一の符号を付す。この空気浄化装置１Ａにおいても、住宅の中に送り込む空気の浄化・脱臭をすることができ、フィルタ９の交換サイクルを長期化することができる。
【００４３】
＜第３の実施の形態＞
第３実施形態においては、図３に示された空気浄化装置１Ｂのように、噴霧室４１が網９１Ｂ・９２Ｂによって三つの室４１Ｂ，４１Ｃ，４１Ｄに区画されており、ドレインパン４２が隔壁９５Ｂ，９６Ｂによって三つの室４２Ｂ，４２Ｃ，４２Ｄに区画されている。ここで、網９１Ｂは隔壁９５Ｂの上に連なっており、網９２Ｂは隔壁９６Ｂの上に連なっている。網９５Ｂは室４１Ｂと室４１Ｃとを仕切り、網９６Ｂは室４１Ｃと室４１Ｄとを仕切り、隔壁９５Ｂは室４２Ｂと室４２Ｃとを仕切り、隔壁９６は室４２Ｃと室４２Ｂとを仕切っている。ダクト３３は室４１Ｃの反対側において室４１Ｂに通じている。室４１Ｂ及び室４１Ｃの上は隔壁９８Ｂによって塞がれ、室４１Ｄの上が開放されて、室４１Ｄと排気室４３がエリミネータ１１を介して通じている。
【００４４】
また、室４１Ｂと室４２Ｂが上下に連なり、室４１Ｃと室４２Ｃが上下に連なり、室４１Ｄと室４２Ｄが上下に連なる。室４１Ｂには供給管１６Ｂが接続されており、供給源１７Ｂの水が供給管１６Ｂを通って室４１Ｂに供給され、室４２Ｂに貯留される。室４１Ｃには、供給源１７Ｃの水が供給管１６Ｃを通じて供給され、室４１Ｄには、供給源１７Ｄの水が供給管１６Ｄを通じて供給される。供給源１７Ｂから供給される水は酸性水であり、供給源１７Ｃから供給される水はアルカリ水であり、供給源１７Ｄから供給される水は純水である。供給源１７Ｂ，１７Ｃ，１７Ｄと水の種類の組み合わせは特に限定するものではなく、例えば供給源１７Ｂの水がアルカリ水であり、供給源１７Ｃの水が酸性水であり、供給源１７Ｄの水が純水であっても良い。
【００４５】
室４１Ｂの上側にはスプレーノズル１０Ｂが設けられ、室４１Ｃの上側にはスプレーノズル１０Ｃが設けられ、室４１Ｄの上側にはスプレーノズル１０Ｄが設けられている。圧送ポンプ１２Ｂは室４２Ｂに貯留された水を吸い上げ、スプレーノズル１０Ｂへ圧送するものである。圧送ポンプ１２Ｃは室４２Ｃに貯留された水を吸い上げ、スプレーノズル１０Ｃへ圧送するものである。圧送ポンプ１２Ｄは室４２Ｄに貯留された水を吸い上げ、スプレーノズル１０Ｄへ圧送するものである。
【００４６】
以上のことを除いて、この空気浄化装置１Ｂは第１実施形態の空気浄化装置１と同様に設けられており、空気浄化装置１Ｂと空気浄化装置１の間で互いに対応する部分に同一の符号を付す。
【００４７】
この空気浄化装置１Ｂの動作について説明する。
まず、供給源１７Ｂの水が供給管１６Ｂを通って室４２Ｂに貯留される。供給源１７Ｃ，１７Ｄの水も室４２Ｃ，４２Ｄにそれぞれ貯留される。そして、圧送ポンプ１２Ｂが作動し、室４２Ｂの水がスプレーノズル１０Ｂへ圧送され、スプレーノズル１０Ｂから水が噴霧される。同様に、室４２Ｃ，４２Ｄの水もスプレーノズル１０Ｃ，１０Ｄからそれぞれ噴霧される。圧送ポンプ１２Ｂ，１２Ｃ，１２Ｄによる水の循環中、送風機８が作動し、住宅の外の空気が吸気口３１に吸い込まれ、吸気ダクト３３、室４１Ｂ、室４１Ｃ、室４１Ｄ、送風機８及び排気ダクト３５を順に通って排気口３７から排出される。排気口３７から排出された空気は住宅の中に送られる。
【００４８】
＜実施例１＞
図１に示された空気浄化装置１を用いてＮＯxの確認試験を行った。
実験室内に空気浄化装置１を設置し、吸気口３１から実験室室内空気を噴霧室４１に送風機８により導入した。噴霧室４１の大きさは３００ｍｍ×３００ｍｍ×３００ｍｍであり、その容量は２７Ｌである。室内空気導入の流量を約１００ｍ3／ｈｒとした。
【００４９】
送風機８を運転し、室内空気を導入した状態で、逆浸透装置によって生成された純水をスプレーノズル１０から水量１Ｌ／分で噴霧した。そして、一定時間ごとに排気口３７から排出される気体を純水の入ったガス捕集瓶に捕集し、その気体をガス捕集瓶内の純水に溶解し、純水中の亜硝酸イオン（ＮＯ2-）濃度をイオンクロマトグラフィー分析装置で分析した。なお、ガス捕集瓶の容量は１００ｍＬであり、ガス捕集用純水量は５０ｍＬであり、５ＮＬ／分の流量の気体を６０分間捕集した。
【００５０】
比較例として、前記の確認試験において、一定時間ごとに吸気口３１に導入される気体を純水の入ったガス捕集瓶に捕集し、その気体をガス捕集瓶内の純水に溶解し、純水中の亜硝酸イオン（ＮＯ2-）濃度を分析した。
【００５１】
その結果を表１及び図４に示す。
【表１】
2008053871.tif 000003
【００５２】
表１及び図４から明らかなように、スプレーノズル１０から純水を噴霧している噴霧室の前後である吸気口と排気口の亜硝酸イオン濃度を比較すると、スプレーノズル１０から純水を噴霧した後である排気口のほうが亜硝酸イオン濃度が低い。そのため、スプレーノズル１０から純水を噴霧すると、吸気口から導入される室内空気中の亜硝酸イオン濃度を低く抑えることができる。
【００５３】
＜第４の実施の形態＞
図５は、空気浄化装置１Ｅの縦断面図である。この空気浄化装置１Ｅは住宅に設置されており、この空気浄化装置１Ｅによって住宅の外の空気が住宅内に取り込まれる。
【００５４】
図５に示すように、洗浄塔３０Ｅの内側に空間が形成されている。洗浄塔３０Ｅの側面の下部には、吸気口３１Ｅが形成されており、洗浄塔３０Ｅの側面の上部には、排気口３７Ｅが形成されている。吸気口３１Ｅは、住宅の外に露出しているか、又はダクトを通じて住宅の外に通じている。排気口３７Ｅは、住宅の中に露出しているか、又は、ダクトを通じて住宅の中に通じている。
【００５５】
洗浄塔３０Ｅの内側の上部には、送風機８Ｅが設けられている。この送風機８Ｅは洗浄塔３０Ｅの下側の吸気口３１Ｅから上側の排気口３７Ｅに向けて送風するものであり、この送風機８Ｅによって吸気口３１Ｅから洗浄塔３０Ｅ内部を経由して排気口３７Ｅに向かった気流が生じる。
【００５６】
吸気口３１Ｅは洗浄塔３０Ｅの下端よりも上において洗浄塔３０Ｅの側面に形成されている。洗浄塔３０Ｅの内側の空間のうち吸気口３１Ｅよりも下側の部分３２Ｅ（以下、貯留室３２Ｅという。）には、水９９Ｅが貯留されるようになっている。貯留室３２Ｅに殺菌装置が設けられ、貯留室３２Ｅに貯留された水９９Ｅが殺菌装置によって殺菌処理されても良い。
【００５７】
前記殺菌装置とは、紫外線照射、電解殺菌、高温殺菌、殺菌剤充填層への通水、又は本実施形態の空気浄化装置１Ｅの構造体の少なくとも一部の表面への殺菌効果を付与する表面処理の何れか単独又はこれらの組み合わせによって構成される。
【００５８】
紫外線照射は、水銀ランプなどの殺菌能力を有する光線を発する光源を貯留室３２Ｅに浸漬するか、又は水の循環流路のいずれかに設置し、該殺菌ランプ部に水を流通させる流通式によって行われる。該殺菌能力を有する光源としては、高圧又は低圧水銀ランプなどが好適に用いられ、照射紫外線としては、該ランプより照射される波長２５４ｎｍ付近、及び／又は１８２ｎｍ付近の紫外線が好適に殺菌効果を達成することができる。殺菌を好適に達成する紫外線照射量は、光源と被照射水との距離、及び照射時間によって大きく影響されるが、一般に光源において、０．０１Ｗ・ｓ／ｃｍ２以上、好ましくは、０．０２５〜０．０５Ｗ・ｓ／ｃｍ２が望ましい。
【００５９】
電解殺菌とは、少なくとも陽極、陰極一対の電極に直流電圧を印加するものであり、貯留室３２Ｅに浸漬するか、又は水の循環経路の何れかに設置し、該電解殺菌部に水を流通させる流通式によって行われる。電解による殺菌は、水に塩化物イオンが含まれる場合は、陽極で生成される有効塩素が主たる殺菌有効成分である。水の塩化物イオン濃度が低い場合は、水に食塩、塩酸、塩化カルシウムなどの塩化物イオンを含有する薬品、または海水、にがりなどの塩化物イオンを含有する天然物などを添加しても良い。殺菌効果を好適に達成する有効塩素濃度は、水のｐＨの影響を受け、一般に酸性において殺菌効果は高い。しかしながら、ｐＨ酸性で高濃度の有効塩素を含有する水は、臭気、並びに特に金属材料に対する腐食などを引き起こすため、この空気浄化装置１Ｅにおいては、有効塩素濃度０．１〜１００ｍｇ Ｃｌ／ｌ好ましくは０．２〜１０ｍｇ Ｃｌ／ｌであり、かつｐＨ２〜１２、より好ましくは、ｐＨ３〜１０とすることが望ましい。水に塩化物イオンが含まれないか、又は、塩化物イオン濃度が１ｍｇ／ｌ以下などの低濃度の場合には、電解殺菌は、陽極において水分解によって生成するオゾン、過酸化水素、ＯＨラジカルなどの活性酸素による殺菌、または陽極への菌体の接触による陽極酸化による殺菌によって達成される。この場合、少なくとも陽極の一部を多孔質体として表面積を大きくし、該多孔質体部に水を流通させることによって、水と陽極の接触効率を高めると、より好適に殺菌を達成することができる。電解殺菌で用いられる陰極としては、導電性炭素材料、鉄、ステンレス、その他金属類が好適に用いられる。陽極としては、白金、金などの貴金属類、チタン基板に白金、イリジウム、ルテニウム、ロジウム、タンタルなどを単独または複数成分混合して、メッキまたはこれらの焼結体酸化物被膜を形成させたものが好適である。水に硬度成分が多く存在し、かつ流通式の電解殺菌を行う場合などでは、定期的に陽極と陰極の極性を反転させることにより、陰極への硬度スケールの付着を防止することが出来る。この場合、電極材料としては、上記陽極材料が好ましい。また、陽極における有効塩素生成を効率よく行うには、陽極材料成分として、イリジウム、ルテニウムが含まれることが望ましく、オゾン生成を促進するには、陽極に二酸化鉛が含まれることが望ましい。電極の形状は、板、多孔質体、パンチングメタル、エキスパンドメタルなどより、通水型、浸漬型などの接液方式を勘案して適宜選択される。電極間に流される電解電流密度は、上記の殺菌機構の違いから、目的とする電極反応に応じて選択されるが、０．１〜２０Ａ／ｄｍ２が好適である。
【００６０】
高温殺菌とは、６０℃以上、好ましくは８０℃以上の高温に水又は空気を昇温するか、または同温度以上に昇温された金属メッシュなどの昇温体に該流体を接触せしめることにより該流体中の菌を死滅させる手段である。この空気浄化装置１Ｅにおいては、循環水流路の一部を昇温するか、または空気流通経路に昇温体を設置して殺菌を行う。後述のエリミネータ１１Ｅを電気ヒータなどで昇温し、殺菌用昇温体として兼用しても良い。
【００６１】
殺菌剤充填層への通水、又は空気浄化装置１Ｅの構造体の少なくとも一部の表面への殺菌効果を付与する表面処理による殺菌で用いられる殺菌剤とは、例えば、銀や銅などの殺菌効果を有する金属を活性炭やゼオライトなどの吸着剤に物理吸着させたもの、あるいは該金属を吸着させた活性炭やゼオライトなどの粉末を更にナイロンなどに練り込んで繊維状に加工したもの、沃素を陰イオン交換基を有する固体表面にイオン結合によって固定化したもの、第４級アンモニウム基を有する陰イオン交換体、ポリミキシンをアガロースに結合させたもの、アルコキシシリル基を導入した殺菌剤・抗菌剤と担体表面の水酸基などとを脱アルコール反応で結合させて共有結合によって殺菌剤・抗菌剤を固定化したもの、ベンジル基、メチレン基、エステルなどを介してポリマー鎖に殺菌剤・抗菌剤を共有結合によって固定化したもの、更にこれらを対象物表面に塗布又はコーティングして対象物表面を固定化殺菌・抗菌剤化したものなどを挙げることができる（高麗寛紀、化学と生物、２６（１２）、８３４−８４１（１９８８））。これらの殺菌剤を単独、又は複数組み合わせて、水循環経路に設置して殺菌剤充填部を形成し、該殺菌剤部に水又は空気を流通させるか、又はこの空気浄化装置１Ｅの構造体の少なくとも一部の表面を上記殺菌剤で表面処理し、該表面に水または空気を接触させて殺菌を行うことができる。
【００６２】
なお、貯留室３２Ｅに貯留された水を残留塩素で殺菌してもよい。また、貯留室３２Ｅに貯留された水の有効塩素を０．１ｍｇ／Ｌ以上１０ｍｇ／Ｌ以下、好ましくは１ｍｇ／Ｌ以上３ｍｇ／Ｌ以下とすることで、その水を殺菌してもよい。
【００６３】
洗浄塔３０Ｅの内側であって貯留室３２Ｅの上方には、複数のノズル１０Ｅが設けられている。これらノズル１０Ｅは下に向けて水を散布するものである。ノズル１０Ｅは水を霧状に散布するものとしてもよい。この場合、ノズル１０Ｅが粒子径１０μｍ以上１０００μｍ以下の水を噴霧することがより好ましい。
また、ノズル１０Ｅは、水滴を連続的に滴下することで水を散布するものとしてもよい。
なお、ノズル１０Ｅの数は複数でなく、１個であっても良い。
【００６４】
洗浄塔３０Ｅの内側であってノズル１０Ｅの上方には、エリミネータ１１Ｅが設けられ、洗浄塔３０Ｅ内の空間がエリミネータ１１Ｅによって上下に仕切られている。エリミネータ１１Ｅを空気が通過すると、通過する空気中の水分がエリミネータ１１Ｅに付着して捕捉され、エリミネータ１１Ｅに付着した水が水滴として下方に滴下する。
【００６５】
ノズル１０Ｅの散布先には、つまりノズル１０Ｅの下方であって吸気口３１Ｅの上方には、気液接触構造２０Ｅが設けられている。気液接触構造２０Ｅは、ノズル１０Ｅから散布された水を捕捉するとともに、上方に向かって当該気液接触構造２０Ｅを通過する空気とその捕捉した水を接触させ、空気中の水溶性ガス（例えば、NOxガス、SOxガス、NH4ガス）を水に吸収させるものである。気液接触構造２０Ｅは、複数の充填物２１Ｅを充填した層を有する。なお、充填物２１Ｅとしては、ラシヒリング、レッシングリング、ボールリング、ペドルサドル、インタロックサドル、テラレット等がある。
【００６６】
具体的には、気液接触構造２０Ｅは図６に示すように構成されている。図２に示すような籠２２Ｅがノズル１０Ｅの下方であって吸気口３１Ｅの上方に配設され、この籠２２Ｅの中に充填物２１Ｅが充填されている。籠２２Ｅは金網を箱状に設けたものである。
【００６７】
貯留室３２Ｅにはポンプ１２Ｅが連結されている。ポンプ１２Ｅは配管１３Ｅによってノズル１０Ｅに接続している。ポンプ１２Ｅは貯留室３２Ｅに貯留された水９９Ｅを吸い上げ、ノズル１０Ｅへと送液するものである。ポンプ１２Ｅによってノズル１０Ｅへ送られた水がポンプ１２Ｅによる圧力によってノズル１０Ｅから散布される。
【００６８】
洗浄塔３０Ｅには供給管１６Ｅが接続されており、供給源１７Ｅの水が供給管１６Ｅを通って洗浄塔３０Ｅ内に供給される。供給管１６Ｅにはバルブ１８Ｅが設けられ、バルブ１８Ｅが開弁することによって供給源の水が洗浄塔３０Ｅ内に供給される。供給源１７Ｅから供給される水は、水道水、純水、酸性水若しくはアルカリ水又はこれらのうち二種以上を混合させたものである。そのため、ノズル１０Ｅから散布される水も、水道水、純水、酸性水若しくはアルカリ水又はこれらのうち二種以上を混合させたものである。
【００６９】
供給源１７Ｅから供給される水が純水である場合、その水は逆浸透装置又はイオン交換装置によって精製された純水である。供給源１７Ｅから供給される水が酸性水である場合、その水は、逆浸透装置によって精製された濃縮水若しくは市水を電解装置に供することで得られる当該電解装置の陽極水であるか、又は、電気軟化装置若しくは電気再生式脱イオン装置の陽極水である。空気中のNH4ガスなどのアルカリ性ガスの溶解効率は、接触する水のｐＨに依存する。接触する水のｐＨが低いほうが、空気中のNH4ガスなどのアルカリ性ガス溶解効率が高くなる。そのため、空気中にアルカリ性ガスが含まれる場合、供給源１７Ｅから供給される水をｐＨ２〜９とし、より好ましくはｐＨ３〜６とする。
供給源１７Ｅから供給される水がアルカリ水である場合、その水は、逆浸透装置によって精製された濃縮水若しくは市水を電解装置に供することで得られる当該電解装置の陰極水であるか、電気軟化装置の陰極水（軟水）であるか、電気再生式脱イオン装置の陰極水であるか、又は、軟水を電解装置に供することで得られる当該電解装置の陰極水である。空気中のNOxガス、SOxガスなどの酸性ガスの溶解効率は、接触する水のｐＨに依存する。接触する水のｐＨが高いほうが、空気中のNOxガス、SOxガスなどの酸性ガスの溶解効率が高くなる。そのため、空気中に酸性ガスが含まれる場合、供給源１７Ｅから供給される水はｐＨ５〜１２とし、より好ましくはｐＨ８〜１０とする。特に、水道水を電解装置、電気軟化装置又は電気再生式脱イオン装置に供して得られた陰極水の場合には、ｐＨ１０を越えると、水酸化マグネシウムなどの塩が生じやすいので、ｐＨ１０以下であることが好ましい。
【００７０】
貯留室３２Ｅの底よりも上の部分には、排水管１４Ｅが接続されている。貯留室３２Ｅに貯留された水９９Ｅの水位が排水管１４Ｅの接続箇所になると、貯留室３２Ｅ内の水９９Ｅが排水管１４Ｅを通って排出される。
【００７１】
次に、この空気浄化装置１Ｅの動作について説明する。
まず、供給源１７Ｅの水が供給管１６Ｅを通って貯留室３２Ｅに貯留される。そして、ポンプ１２Ｅが作動し、貯留室３２Ｅの水９９Ｅがノズル１０Ｅへ送液され、ノズル１０Ｅから水が散布される。ノズル１０Ｅから散布された水は気液接触構造２０Ｅに捕捉されて吸収され、具体的には、水が充填物２１Ｅの隙間に吸収される。ポンプ１２Ｅの作動している間、水が循環する。水の循環中では殺菌装置が作動し、循環水が殺菌装置によって殺菌される。なお、水の循環中でも供給源１７Ｅの水が断続的に、連続的に又は所定サイクルで貯留室３２Ｅに供給される。
【００７２】
水の循環中、送風機８Ｅが作動し、住宅の外の空気が吸気口３１Ｅに吸い込まれ、吸い込まれた空気が洗浄塔３０Ｅ中を上昇して、排気口３７Ｅから排出される。排気口３７Ｅから排出された空気は住宅の中に送られる。
【００７３】
洗浄塔３０Ｅに取り込まれた空気が上昇している時に、空気が気液接触構造２０Ｅを通過する。空気が気液接触構造２０Ｅを通過している時に、気液接触構造２０Ｅに吸収された水と空気が接触する。また、気流中の塵埃が水に接触する。そのため、気液接触構造２０Ｅを通過する空気から塵埃等が除去される。更に、気液接触構造２０Ｅを通過する空気中の水溶性ガスが水に溶けて除去される。そして、気液接触構造２０Ｅを通過した空気が排気口３７Ｅから排出されて住宅の中に送られる。
【００７４】
以上のように本実施形態によれば、吸気口３１Ｅに吸い込まれた空気が気液接触構造２０Ｅを通過している時に、空気中の塵埃や水溶性ガスが水に吸収される。そのため、住宅の中に送り込む空気の浄化・脱臭をすることができ、住宅内への給気もより衛生的にすることができる。特に、エリミネータ１１Ｅによって水が捕捉されることによって、住宅内に送り込まれる空気中に水が残留せず、より浄化された空気が住宅内に送り込まれる。
【００７５】
その上、貯留室３２Ｅの底に貯留された水が殺菌装置によって殺菌されるので、循環している水の汚染を抑えることができる。そのため、空気浄化装置１Ｅが長期に動作していても、住宅内に送り込まれる空気が浄化された状態を保つことができる。
【００７６】
更に、気液接触構造２０Ｅ中の水によって取り除かれた塵埃等の一部は、貯留室３２Ｅに貯留した水の水面に浮上し、浮上した塵埃等は水とともに排水管１４Ｅを通じて排出される。そのため、循環している水に塵埃等が貯まっていくことを抑えることができる。
【００７７】
なお、上記実施形態では、吸気口３１Ｅが住宅の外に露出しているか、又はダクトを通じて住宅の外に通じていたが、吸気口３１Ｅが住宅の中に露出しているか、又は、ダクトを通じて住宅の中に通じていても良い。このようにすれば、住宅の中の空気が吸気口３１Ｅに吸い込まれ、塵埃・水溶性ガス等を除去した空気が排気口３７Ｅから住宅の中に供給される。これにより、住宅の中の空気を浄化することができる。
【００７８】
また、吸気口３１Ｅとは別に吸気口を洗浄塔３０Ｅに設け、その別の吸気口を住宅の中に露出させるか又はダクトを通じて住宅の中に通じさせても良い。このようにすることで、吸気口３１Ｅから外気が取り込まれ、別の吸気口からは住宅内の空気が取り込まれ、取り込まれた空気が洗浄塔３０Ｅ内において浄化し、その浄化した空気が排気口３７Ｅから住宅に送り込まれる。
【００７９】
また、上記実施形態では取り込まれた空気が洗浄塔３０Ｅで上昇するよう流れているが、逆に下降するように流れても良い。上記実施形態では、ノズル１０Ｅから散布される水の向きが、洗浄塔３０Ｅ内での空気の流れの向きの逆になっていたが、それら向きの関係は特に限定するものではなく、例えば、ノズル１０Ｅから散布される水の向きが洗浄塔３０Ｅ内での空気の流れの向きと同じであっても良いし、ノズル１０Ｅから散布される水の向きが洗浄塔３０内での空気の流れの向きに対して垂直であっても良い。
【００８０】
また、上記実施形態ではポンプ１２Ｅによって水をノズル１０Ｅに送液していたが、水に加えて圧縮空気をコンプレッサーによってノズル１０Ｅに送っても良い。
【００８１】
また、気液接触構造２０Ｅ内に仕切板を配置し、気液接触構造２０Ｅ内において空気が酸性水、アルカリ水、純水の順で接触しても良い。また、気液接触構造２０Ｅ内において空気がアルカリ水、酸性水、純水の順に接触しても良いし、アルカリ水、純水の順に接触しても良い。
【００８２】
また、第１実施形態のように、吸気口３１Ｅと洗浄塔３０Ｅの内部空間との間にプレフィルタを設け、排気口３７Ｅと送風機８との間にフィルタを設けてもよい。
【００８３】
＜第５の実施の形態＞
第４実施形態の空気浄化装置１Ｅにおいては、気液接触構造２０Ｅが１つの籠２２Ｅを有し、籠２２Ｅに複数の充填物２１Ｅが充填されている。それに対して図７に示された第５実施形態の空気浄化装置１Ｆにおいては、気液接触構造２０Ｆが図８に示された籠２２Ｆを複数個備え、これら籠２２Ｆに充填物２１Ｆが充填されている。ここで、これら籠２２Ｆは板状且つ箱状に設けられている。籠２２Ｆの厚み方向が洗浄塔３０Ｅ内の気流の向きに対して垂直となった状態で、これら籠２２Ｆがノズル１０Ｅの下方において間隔をおいて配列されている。
なお、第１実施形態のように、吸気口３１Ｅと洗浄塔３０Ｅの内部空間との間にプレフィルタを設け、排気口３７Ｅと送風機８との間にフィルタを設けてもよい。
【００８４】
以上のことを除いて、この空気浄化装置１Ｆは第４実施形態の空気浄化装置１Ｅと同様に設けられており、空気浄化装置１Ｆと空気浄化装置１Ｅの間で互いに対応する部分が同様に設けられている場合には同一の符号を付す。この空気浄化装置１Ｆにおいても、住宅の中に送り込む空気の浄化・脱臭をすることができる。
【００８５】
＜第６の実施の形態＞
図９に示すように、第６実施形態の空気浄化装置１Ｇにおいては、気液接触構造２０Ｇが複数の多孔板２４Ｇを有する。具体的には、ノズル１０Ｅの下方においてこれら多孔板２４Ｇは間隔を空けて重ねられており、多孔板２４Ｇの厚みが洗浄塔３０Ｅ内の気流の向きに対して平行となっている。多孔板２４Ｇには、一方の面から他方の面に貫通した複数の貫通孔が形成されている。この気液接触構造２０Ｇにおいては、ノズル１０Ｅから散布された水はこれら多孔板２４Ｇの貫通孔に捕捉され、空気が上方に向かって各貫通孔を通過する時に空気と水が接触し、空気中の水溶性ガス（例えば、NOxガス、SOxガス、NH4ガス）が水に吸収される。
なお、第１実施形態のように、吸気口３１Ｅと洗浄塔３０Ｅの内部空間との間にプレフィルタを設け、排気口３７Ｅと送風機８との間にフィルタを設けてもよい。
【００８６】
以上のことを除いて、この空気浄化装置１Ｇは第４実施形態の空気浄化装置１Ｅと同様に設けられており、空気浄化装置１Ｇと空気浄化装置１Ｅの間で互いに対応する部分が同様に設けられている場合には同一の符号を付す。この空気浄化装置１Ｇにおいても、住宅の中に送り込む空気の浄化・脱臭をすることができる。
【００８７】
＜第７の実施の形態＞
図１０に示すように、第７実施形態の空気浄化装置１Ｈにおいては、気液接触構造２０Ｈが複数の板２５Ｈを有する。これら板２５Ｈが棚段状に配列され、更にこれら板２５Ｈが左右から入れ違いに設けられている。これら板２５Ｈは傾斜して設けられ、これら板２５Ｈの先が斜め下に指向している。なお、これら板２５Ｈが互いに平行とされていても良い。
【００８８】
この気液接触構造２０Ｈにおいては、ノズル１０Ｅから散布された水はこれら板２５Ｈの上に載ることで捕捉され、空気が板２５Ｈの間を通過する時に空気と水が接触し、空気中の水溶性ガス（例えば、NOxガス、SOxガス、NH4ガス）が水に吸収される。
【００８９】
図１１に示すように、板２５Ｈが波形板であっても良いし、図１２に示すように、板２５Ｈの表面に溝２６Ｈが形成されていても良い。板２５Ｈが波形板であると、ノズル１０Ｅから散布された水が板２５Ｈの上に捕捉されやすい。板２５Ｈに溝２６Ｈが形成されていると、水が流動しやすい。
なお、第１実施形態のように、吸気口３１Ｅと洗浄塔３０Ｅの内部空間との間にプレフィルタを設け、排気口３７Ｅと送風機８との間にフィルタを設けてもよい。
【００９０】
以上のことを除いて、この空気浄化装置１Ｈは第４実施形態の空気浄化装置１Ｅと同様に設けられており、空気浄化装置１Ｈと空気浄化装置１Ｅの間で互いに対応する部分が同様に設けられている場合には同一の符号を付す。この空気浄化装置１Ｈにおいても、住宅の中に送り込む空気の浄化・脱臭をすることができる。
【００９１】
＜第８の実施の形態＞
第８実施形態においては、図１３に示された空気浄化装置１Ｊのように、洗浄塔３０Ｅの内側の空間が網９３Ｍ，９４Ｍによって三つの室に区画されており、それら三つの室には気液接触構造２０Ｊ，２０Ｋ，２０Ｌが設けられている。気液接触構造２０Ｊ〜２０Ｌは、上記第４から第７の実施形態における気液接触構造２０Ｅ，２０Ｆ，２０Ｇ，２０Ｈの何れかと同じように設けられたものである。
【００９２】
気液接触構造２０Ｊの上側にはノズル１０Ｊが設けられ、気液接触構造２０Ｋの上側にはノズル１０Ｋが設けられ、気液接触構造２０Ｌの上側にはノズル１０Ｌが設けられている。ノズル１０Ｊの上側及びノズル１０Ｋの上側は隔壁９８Ｍによって塞がれ、気液接触構造２０Ｊ，２０Ｋが設けられた室が隔壁９８Ｍによってエリミネータ１１Ｅから仕切られている。一方、ノズル１０Ｌの上側は塞がれていないので、気液接触構造２０Ｌが設けられた室がエリミネータ１１Ｅに通じる。
【００９３】
吸気口３１Ｅよりも下側の領域が隔壁９５Ｍ，９６Ｍによって三つの貯留室３２Ｊ，３２Ｋ，３２Ｌに区画されている。ここで、網９３Ｍは隔壁９５Ｍの上に連なっており、網９４Ｍは隔壁９６Ｍの上に連なっている。
【００９４】
貯留室３２Ｊには供給管１６Ｊが接続されており、供給源１７Ｊの水が供給管１６Ｊを通って貯留室３２Ｊに供給される。貯留室３２Ｋには供給管１６Ｋが接続されており、供給源１７Ｋの水が供給管１６Ｋを通って貯留室３２Ｋに供給される。貯留室３２Ｌには供給管１６Ｌが接続されており、供給源１７Ｌの水が供給管１６Ｌを通って貯留室３２Ｌに供給される。供給源１７Ｊから供給される水は酸性水であり、供給源１７Ｋから供給される水はアルカリ水であり、供給源１７Ｌから供給される水は純水である。供給源１７Ｊ〜１７Ｌと水の種類の組み合わせは特に限定するものではなく、例えば供給源１７Ｊの水がアルカリ水であり、供給源１７Ｋの水が酸性水であり、供給源１７Ｌの水が純水であっても良い。
【００９５】
ポンプ１２Ｊは貯留室３２Ｊに貯留された水９９Ｊを吸い上げ、ノズル１０Ｊへ送液するものである。ポンプ１２Ｋは貯留室３２Ｋに貯留された水９９Ｋを吸い上げ、ノズル１０Ｋへ送液するものである。ポンプ１２Ｌは貯留室３２Ｌに貯留された水９９Ｌを吸い上げ、ノズル１０Ｌへ送液するものである。
なお、第１実施形態のように、吸気口３１Ｅと洗浄塔３０Ｅの内部空間との間にプレフィルタを設け、排気口３７Ｅと送風機８との間にフィルタを設けてもよい。
【００９６】
以上のことを除いて、この空気浄化装置１Ｊは第４実施形態の空気浄化装置１Ｅと同様に設けられており、空気浄化装置１Ｊと空気浄化装置１Ｅの間で互いに対応する部分に同一の符号を付す。
【００９７】
この空気浄化装置１Ｊの動作について説明する。
まず、供給源１７Ｊの水が供給管１６Ｊを通って貯留室３２Ｊに貯留される。供給源１７Ｋ，１７Ｌの水も貯留室３２Ｋ，３２Ｌにそれぞれ貯留される。そして、ポンプ１２Ｊが作動し、貯留室３２Ｊの水９９Ｊがノズル１０Ｊへ送液され、ノズル１０Ｊから下へ水が散布され、散布された水９９Ｊが気液接触構造２０Ｊに捕捉される。同様に、貯留室３２Ｋ，３２Ｌの水９９Ｋ，９９Ｌもノズル１０Ｋ，１０Ｌからそれぞれ下へ散布されて、気液接触構造２０Ｋ，２０Ｌに捕捉される。ポンプ１２Ｊ，１２Ｋ，１２Ｌによる水の循環中、送風機８Ｅが作動し、住宅の外の空気が吸気口３１に吸い込まれ、気液接触構造２０Ｊ，２０Ｋ，２０Ｌ、エリミネータ１１Ｅ、送風機８Ｅを順に通って排気口３７Ｅから排出される。排気口３７Ｅから排出された空気は住宅の中に送られる。そのため、送風される空気は、ノズル１０Ｊ、１０Ｋ、１０Ｌの順にそれらから散布される水に接触する。そのため、この空気浄化装置１Ｊにおいても、住宅の中に送り込む空気の浄化・脱臭をすることができる。
【００９８】
＜実施例２＞
図５に示された空気浄化装置１Ｅを用いてＮＯxの確認試験を行った。
実験室内に空気浄化装置１Ｅを設置し、吸気口３１Ｅから実験室室内空気を気液接触構造２０Ｅに送風機８Ｅにより導入した。気液接触構造２０Ｅの大きさは２００ｍｍ×２００ｍｍ×２００ｍｍであり、その容量は８Ｌである。充填物２１Ｅは内径５ｍｍ×長さ５ｍｍのラシヒリングを用いた。室内空気導入の流量を約１５０ｍ3／ｈｒとした。
【００９９】
送風機８を運転し、室内空気を導入した状態で、逆浸透装置によって生成された純水をノズル１０Ｅから水量１．５Ｌ／分で散水した。そして、一定時間ごとに排気口３７Ｅから排出される気体を純水の入ったガス捕集瓶に捕集し、その気体をガス捕集瓶内の純水に溶解し、純水中の亜硝酸イオン（ＮＯ2-）濃度をイオンクロマトグラフィー分析装置で分析した。なお、ガス捕集瓶の容量は１００ｍＬであり、ガス捕集用純水量は５０ｍＬであり、５ＮＬ／分の流量の気体を６０分間捕集した。
【０１００】
比較例として、前記の確認試験において、一定時間ごとに吸気口３１Ｅに導入される気体を純水の入ったガス捕集瓶に捕集し、その気体をガス捕集瓶内の純水に溶解し、純水中の亜硝酸イオン（ＮＯ2-）濃度を分析した。
【０１０１】
その結果を表２及び図１４に示す。
【表２】
2008053871.tif 000004
【０１０２】
表２及び図１４から明らかなように、ノズル１０Ｅから純水を散水している気液接触構造２０Ｅの前後である吸気口と排気口の亜硝酸イオン濃度を比較すると、ノズル１０Ｅから純水を散水した後である排気口のほうが亜硝酸イオン濃度が低い。そのため、ノズル１０Ｅから純水を散水すると、吸気口から導入される室内空気中の亜硝酸イオン濃度を低く抑えることができる。
【０１０３】
以上本発明の好ましい実施の形態を説明したが、本発明の好ましい実施の形態によれば、吸気口（３１又は３１Ｅ）に通じるとともに排気口（３７又は３７Ｅ）に通じる内部空間を有した洗浄塔（４０又は３０Ｅ）と、空気を前記吸気口（３１又は３１Ｅ）から前記洗浄塔（４０又は３０Ｅ）の内部空間に取り込んで前記排気口（３７又は３７Ｅ）から前記洗浄塔（４０又は３０Ｅ）の外に送り出すよう送風する送風機（８又は８Ｅ）と、前記洗浄塔（４０又は３０Ｅ）の内部空間に配置され、前記洗浄塔（４０又は３０Ｅ）の内部空間内で水を散布するノズル（１０又は１０Ｅ）と、を備え、前記ノズル（１０又は１０Ｅ）から散布された水が前記洗浄塔（４０又は３０Ｅ）内で前記送風機（８又は８Ｅ）により送風された空気と接触する、空気浄化装置（１、１Ａ、１Ｂ、１Ｅ、１Ｆ、１Ｈ又は１Ｊ）が提供される。
【０１０４】
従って、住宅内又はその屋外等の空気が送風機（８又は８Ｅ）によって吸気口（３１又は３１Ｅ）から洗浄塔（４０又は４０Ｅ）の内部空間に取り込まれて、洗浄塔（４０又は４０Ｅ）に取り込まれた空気が排気口（３７又は３７Ｅ）から住宅等内に送り出される。ノズル（１０又は１０Ｅ）によって洗浄塔（４０又は３０Ｅ）内に水が散布されると、送風されている空気中の塵埃等と水が接触し、空気から塵埃等が除去される。また、送風されている空気中の水溶性ガス例えば、NOxガス、SOxガス、NH4ガス、悪臭の元となるガス等が散布された水に溶け、空気から水溶性ガスが除去される。そのため、浄化された空気が住宅等内に送り込まれる。また、フィルタではなく、水との接触により空気を浄化するので、フィルタの清掃・交換を必要としない。吸気口（３１又は３１Ｅ）から洗浄塔（４０又は３０Ｅ）に取り込まれた空気は、水中に吹き込まれるのではなく、散布された水が分散した雰囲気を通過するので、圧力損失が少ない。そのため、送風機（８又は８Ｅ）の出力を高くせずとも済む。
【０１０５】
好ましくは、前記ノズル（１０）が水を霧状に散布する。
ノズルから噴霧された水が霧状であるから、送風される空気中の塵埃、水溶性ガス等が水の粒子に接触しやすくなる。
【０１０６】
好ましくは、前記ノズル（１０）が粒子径１０μｍ以上１０００μｍ以下の水を噴霧する。
噴霧される水の粒子径が粒子径１０μｍ以上１０００μｍ以下であると、送風される空気中の塵埃、水溶性ガス等が水の粒子により接触しやすくなる。
【０１０７】
好ましくは、前記空気浄化装置（１Ｅ、１Ｆ、１Ｈ又は１Ｊ）が、前記洗浄塔（３０Ｅ）の内部空間において前記ノズル（１０Ｅ）の散布先に設けられ、前記ノズル（１０Ｅ）から散布された水を捕捉するとともに捕捉した水を前記送風機（８Ｅ）で送風される空気に接触させる気液接触構造（２０Ｅ、２０Ｆ、２０Ｇ又は２０Ｈ）を更に備える。
【０１０８】
従って、ノズル（１０Ｅ）から水が散布されると、その水が気液接触構造（２０Ｅ、２０Ｆ、２０Ｇ又は２０Ｈ）に捕捉される。そして、住宅内又はその屋外等の空気が送風機（８Ｅ）によって吸気口（３１Ｅ）から洗浄塔（３０Ｅ）の内部空間に取り込まれて、洗浄塔（３０Ｅ）に取り込まれた空気が気液接触構造（２０Ｅ、２０Ｆ、２０Ｇ又は２０Ｈ）を通過して排気口（３７Ｅ）から住宅内等に送り出される。洗浄塔（３０Ｅ）内の空気が気液接触構造（２０Ｅ、２０Ｆ、２０Ｇ又は２０Ｈ）を通過している際に、水と空気が接触し、空気中の塵埃が水に取り込まれたり、空気中の水溶性ガス例えば、NOxガス、SOxガス、NH4ガス等が水に溶けたりする。そのため、浄化された空気が住宅内等に送り込まれる。
【０１０９】
好ましくは、前記気液接触構造（２０Ｅ又は２０Ｆ）が、前記ノズル（１０Ｅ）の散布先において複数の充填物（２１Ｅ又は２１Ｆ）を充填してなる。
ノズル（１０Ｅ）の散布先において複数の充填物（２１Ｅ又は２１Ｆ）が充填されているので、ノズル（１０Ｅ）から散布された水が充填物（２１Ｅ又は２１Ｆ）の隙間に捕捉され、送風機（８Ｅ）によって流れる空気は充填物（２１Ｅ又は２１Ｆ）の隙間を通過する。そのため、空気と水が接触し、空気中の塵埃や水溶性ガスが除去される。
【０１１０】
好ましくは、前記気液接触構造（２０Ｇ）が、前記ノズルの散布先において多孔板（２４Ｇ）を重ねてなる。
ノズル（１０Ｅ）の散布先において多孔板（２４Ｇ）が重ねられているので、ノズル（１０Ｅ）から散布された水が多孔板（２４Ｇ）の孔に捕捉され、送風機（８Ｅ）によって流れる空気は多孔板（２４Ｇ）の孔を通過する。そのため、空気と水が接触し、空気中の塵埃や水溶性ガスが除去される。
【０１１１】
好ましくは、前記気液接触構造（２０Ｈ）が、複数の板（２５Ｈ）を棚段状に配列してなる。
ノズル（１０Ｅ）の散布先において複数の板（２５Ｈ）が棚段状に配列されているので、ノズル（１０Ｅ）から散布された水が板２５Ｈ）の表面に載って捕捉され、送風機（８Ｅ）によって流れる空気は板（２５Ｈ）の間を通過する。そのため、空気と水が接触し、空気中の塵埃や水溶性ガスが除去される。
【０１１２】
好ましくは、前記空気浄化装置（１）が、前記吸気口（３１）と前記洗浄塔（４０）との間に設けられたフィルタ（７）を更に備える。
吸気口（３１）と洗浄塔（４０）との間にフィルタ（７）が設けられているので、吸気口（３１）に取り込まれる空気中の塵埃等がそのフィルタ（７）によって捕捉される。そのため、空気の浄化効率が向上する。また、塵埃等が取り除かれた空気が洗浄塔（４０）に送られるので、洗浄塔（４０）内において散布された水が貯留又は排水される場合に、その水に含まれる塵埃等が少なくなり、その水の後処理も容易に行うことができる。
【０１１３】
好ましくは、前記空気浄化装置（１）が、前記送風機（８）と前記排気口（３７）との間に設けられたフィルタ（９）を更に備える。
送風機（８）と排気口（３７）との間にフィルタ（９）が設けられているので、洗浄塔（４０）内で除去することができなかった塵埃等もそのフィルタ（９）によって捕捉される。そのため、空気の浄化効率が向上する。また、洗浄塔（４０）において塵埃等が殆ど除去されるので、排気口（３７）を閉塞したフィルタ（９）の清掃・交換を頻繁に行わずに済む。
【０１１４】
好ましくは、前記空気浄化装置（１、１Ａ、１Ｂ、１Ｅ、１Ｆ、１Ｇ、１Ｈ又は１Ｊ）が、前記ノズル（１０又は１０Ｅ）に水を送液し、前記ノズル（１０又は１０Ｅ）から水を散布させるポンプ（１２、１２Ａ、１２Ｂ、１２Ｃ、１２Ｄ、１２Ｅ、１２Ｊ、１２Ｋ又は１２Ｌ）を更に備える。
水がポンプ（１２、１２Ｂ、１２Ｃ、１２Ｄ、１２Ｅ、１２Ｊ、１２Ｋ又は１２Ｌ）によってノズル（１０又は１０Ｅ）に送液されると、ノズル（１０又は１０Ｅ）から水が散布される。
【０１１５】
好ましくは、前記ポンプ（１２、１２Ｂ、１２Ｃ、１２Ｄ、１２Ｅ、１２Ｊ、１２Ｋ又は１２Ｌ）は、前記ノズルから散布されて前記洗浄塔の内部空間の下部に貯留された水を前記ノズル（１０又は１０Ｅ）に送液する。
従って、水が循環するので、水の消費を抑えることができる。
【０１１６】
好ましくは、前記空気浄化装置（１）が、前記洗浄塔（４０）の内部空間に配置され、前記ノズル（１０）から散布されて前記洗浄塔（４０）の内部空間の底に貯留された水を殺菌する殺菌装置（１５）を更に備える。
従って、循環している水の汚染を抑えることができ、空気浄化装置（１）が長期に動作していても、住宅内に送り込まれる空気が浄化された状態を保つことができる。
【０１１７】
好ましくは、前記殺菌装置（１５）が電解殺菌装置である。
【０１１８】
好ましくは、前記殺菌装置（１５）が紫外線照射装置である。
【０１１９】
好ましくは、前記洗浄塔（４０又は３０Ｅ）の内部空間の下部に貯留された水を残留塩素で殺菌する。
【０１２０】
好ましくは、前記洗浄塔（４０又は３０Ｅ）の内部空間の下部に貯留された水の有効塩素濃度を０．１ｍｇ／Ｌ以上１０ｍｇ／Ｌ以下とすることでその水を殺菌する。
【０１２１】
好ましくは、前記洗浄塔（４０又は３０Ｅ）の内部空間の下部に貯留された水の有効塩素濃度を１ｍｇ／Ｌ以上３ｍｇ／Ｌ以下とすることでその水を殺菌する。
【０１２２】
好ましくは、前記空気浄化装置（１、１Ａ、１Ｂ、１Ｅ、１Ｆ、１Ｇ、１Ｈ又は１Ｊ）が、前記洗浄塔（４０又は３０Ｅ）の内部空間において前記ノズル（１０又は１０Ｅ）よりも前記排気口（３７又は３７Ｅ）側に配置され、前記ノズル（１０又は１０Ｅ）から散布された水を捕捉するエリミネータ（１１又は１１Ｅ）を更に備える。
エリミネータ（１１又は１１Ｅ）によって水が捕捉されることによって、住宅内等に送り込まれる空気中に水が残留することを抑えることができる。そのため、住宅内等に送り込まれる空気がより効率的に浄化される。
【０１２３】
好ましくは、前記空気浄化装置（１、１Ａ、１Ｂ、１Ｅ、１Ｆ、１Ｇ、１Ｈ又は１Ｊ）が、前記洗浄塔（４０又は３０Ｅ）の内部空間の底よりも上において前記洗浄塔（４０又は３０Ｅ）に接続され、その接続箇所の水位まで貯留した水を排水する排水管（１４又は１４Ｅ）を更に備える。
排水管（１４又は１４Ｅ）が洗浄塔（４０又は３０Ｅ）に接続されているので、散布された水が排水管（１４又は１４Ｅ）の接続箇所を越えた水位に貯まることがない。特に、水と接触した塵埃等は洗浄塔（４０又は３０Ｅ）に貯留された水の水面に浮上するので、空気から取り除いた塵埃等が水とともに排水管（１４又は１４Ｅ）から排出される。
【０１２４】
好ましくは、前記ノズルが水道水、純水、酸性水若しくはアルカリ水又はこれらのうち二種以上を混合させたものを散布する。
【０１２５】
好ましくは、前記ノズルが逆浸透装置又はイオン交換装置によって精製された純水を散布する。
【０１２６】
好ましくは、前記ノズルが、逆浸透装置によって精製された濃縮水若しくは市水を電解装置に供することで得られる当該電解装置の陽極水、又は、電気軟化装置若しくは電気再生式脱イオン装置の陽極水を散布する。
【０１２７】
好ましくは、前記ノズルが、逆浸透装置によって精製された濃縮水若しくは市水を電解装置に供することで得られる当該電解装置の陰極水、電気軟化装置の陰極水、電気再生式脱イオン装置の陰極水、又は、軟水を電解装置に供することで得られる当該電解装置の陰極水を散布する。
【０１２８】
なお、明細書、特許請求の範囲、図面および要約書を含む２００６年１１月１日提出の日本国特許出願２００６−２９８１２２号及び２００７年３月１日提出の日本国特許出願２００７−５１５３９号の開示内容全体は、本国際出願で指定した指定国、又は選択した選択国の国内法令の許す限り、そのまま引用してここに組み込まれる。
【０１２９】
種々の典型的な実施の形態を示しかつ説明してきたが、本発明はそれらの実施の形態に限定されない。従って、本発明の範囲は、次の請求の範囲によってのみ限定されるものである。
【産業上の利用可能性】
【０１３０】
以上説明したように、本発明の好ましい実施の形態によれば、送風されている空気中の水溶性ガス例えば、NOxガス、SOxガス、NH4ガス、悪臭の元となるガス等が散布された水に溶けることによって、更に空気中の塵埃等が散布された水に接触することによって、空気中から水溶性ガス及び塵埃等を取り除くことができ、浄化された空気を住宅等に送り込むことができる。また、フィルタの清掃・交換をせずとも、またその頻度が少なくても、水と空気の接触により空気を浄化することができる。また、吸気口から洗浄塔に取り込まれた空気は水が分散した雰囲気を通過するので、圧力損失を少なくすることができ、送風機の出力を低くすることができる。
その結果、本発明は、住宅等に送り込む空気を浄化する技術に特に好適に利用できる。
【図１】
2008053871.tif 000005
【図２】
2008053871.tif 000006
【図３】
2008053871.tif 000007
【図４】
2008053871.tif 000008
【図５】
2008053871.tif 000009
【図６】
2008053871.tif 000010
【図７】
2008053871.tif 000011
【図８】
2008053871.tif 000012
【図９】
2008053871.tif 000013
【図１０】
2008053871.tif 000014
【図１１】
2008053871.tif 000015
【図１２】
2008053871.tif 000016
【図１３】
2008053871.tif 000017
【図１４】
2008053871.tif 000018
【国際調査報告】
2008053871.tif 000019
2008053871.tif 000020
2008053871.tif 000021